(57)【要約】【課題】入出力端子用の窓を数多く設けたシールドケースにおいても回路基板固定用の爪部の配置を可能にする。【解決手段】シールドケースを構成するケース１２とカバー１１に形成された窓１３，　１５の縦辺に回路基板固定用の爪部１７を設ける。第一回路基板２１と第二回路基板２２をケースへ装填してカバーをケースへ嵌合させるとともに、ケースとカバーの爪部１７を奥へ折り曲げる。ケース１２の爪部１７によって第一回路基板１１の表面が押さえられてケース側へ固定され、カバー１１の爪部１７によって第二回路基板２２の表面が押さえられてカバー１１側へ固定される。シールドケースの側壁に独立した爪部を形成するスペースがない場合であっても回路基板を固定することができる。【選択図】　図４
2004134468.tif 000002
【特許請求の範囲】
【請求項１】
回路基板を覆う箱型シールドケースであって、側面に前記回路基板の入出力部を露出させるための窓を形成したシールドケースにおいて、窓の縦辺に窓の中央方向へ突出する爪部を設け、爪部を内側へ折り曲げて回路基板の上面を押さえ、爪部により回路基板を固定するように構成した回路基板のシールドケース。
【請求項２】
上面が開放されたケースと、ケースに嵌合されるカバーとからなるシールドケースであって、ケース並びにカバーのそれぞれの窓の縦辺に前記爪部を設けた請求項１記載の回路基板のシールドケース。
【発明の詳細な説明】
【０００１】
【発明の属する技術分野】
この発明は、回路基板のシールドケースに関するものであり、特に、回路基板の固定手段を改良した回路基板のシールドケースに関するものである。
【０００２】
【従来の技術】
従来の回路基板のシールドケースを図６乃至図８に従って説明する。図６に示すようにシールドケースはカバー１とケース２とによって構成されていて、ケース２へ回路基板を装填してケース２へカバー１を嵌合することにより、図７に示すように回路基板３の全面がシールドケースにて覆われる。シールドケースの側面は回路基板上の種々のコネクタ４を露出させるための窓５が切り欠かれていて、外部コネクタがコネクタ４へ接続される。図６に示すように、ケース２の側面にはコネクタ用の窓５の他にＵ型のスリットを加工して爪部６が形成されており、図８に示すように爪部６を内側へ折り曲げて、回路基板３がシールドケース内で上下にずれないように固定する。
【０００３】
【発明が解決しようとする課題】
従来は、シールドケースの側面にＵ型スリットを切り欠いて爪部を形成し、爪部を内側へ折り曲げることによって回路基板を固定しているが、シールドケースの側面に入出力コネクタ用の窓を数多く設ける場合は、基板固定用の爪部を配置することが困難なことがある。そこで、コネクタ用の窓を数多く設ける場合であっても回路基板を固定する爪部を配置できるようにするために解決すべき技術的課題が生じてくるのであり、本発明は上記課題を解決することを目的とする。
【０００４】
【課題を解決するための手段】
この発明は、上記目的を達成するために提案するものであり、回路基板を覆う箱型シールドケースであって、側面に前記回路基板の入出力部を露出させるための窓を形成したシールドケースにおいて、窓の縦辺に窓の中央方向へ突出する爪部を設け、爪部を内側へ折り曲げて回路基板の上面を押さえ、爪部により回路基板を固定するように構成した回路基板のシールドケースを提供するものである。
【０００５】
また、上面が開放されたケースと、ケースに嵌合されるカバーとからなるシールドケースであって、ケース並びにカバーのそれぞれの窓の縦辺に前記爪部を設けた回路基板のシールドケースを提供するものである。
【０００６】
【発明の実施の形態】
以下、この発明の実施の一形態を図に従って詳述する。図１はシールドケースを構成するカバー１１とケース１２の背面を示し、それぞれメモリカードコネクタ用窓１３、電源ソケット用窓１４、ピンジャック用窓１５、ＲＪ−４５ソケット用窓１６などが設けられていて、ケース１２にカバー１１を載せてカバー１１を押さえつければケース１２にカバー１１が嵌合して固定される。ケース１２のＲＪ−４５ソケット用窓１６とカバー１１のメモリカードコネクタ用窓１３には、それぞれ縦辺から窓の中央方向へ突出する爪部１７が設けられている。爪部１７は、ケース１２へ回路基板を装填したときに回路基板の内側の面と爪部１７の横辺とが同一高さになるように形成されていて、爪部１７を奥へ折り曲げることによって回路基板が固定される。
【０００７】
図２は、シールドケースへ収容されるパーソナルネットワークカメラの第一回路基板２１と第二回路基板２２を示し、それぞれ相手側に対向する面を示している。二枚の回路基板２１，　２２は両面銅張印刷配線板であって、図示は省略するが両面にＬＳＩやトランジスタ、コンデンサや抵抗などのチップ部品が搭載され、その他に第一回路基板２１には基板対基板接続コネクタのソケット２３ａ，　２４ａ，　２５ａ、外部映像入力用のＲＣＡピンジャック２６、基板上のＬＥＤ（図示せず）を隔離する遮光板兼基板スペーサ２７などが搭載されている。また、第二回路基板には基板対基板接続コネクタのプラグ２３ｂ，　２４ｂ、メモリカードコネクタ２８、電源ソケット２９、ＲＪ−４５ソケット３０などが搭載されている。
【０００８】
ソケット２３ａとプラグ２３ｂとからなる基板対基板接続コネクタ２３は、例えば５０ピンの平行接続型コネクタである。ソケット２４ａとプラグ２４ｂとからなる基板対基板接続コネクタ２４は、例えば８ピンのずれ吸収型コネクタであって、回路基板へ半田付けされる端子部に対して嵌合部が変位できる公知のずれ吸収構造となっている。したがって、基板対基板接続コネクタ２３のソケット２３ａとプラグ２３ｂを嵌合させたときに、基板対基板接続コネクタ２４のソケット２４ａとプラグ２４ｂの相互の位置関係にずれが生じている場合であっても位置ずれが吸収されてソケット２４ａとプラグ２４ｂが正常に嵌合する。
【０００９】
第一回路基板２１の基板対基板接続コネクタ２５のソケット２５ａには、図３に示すように垂直接続型プラグ２５ｂ　を取付けたＣＭＯＳカメラモジュール３１が装着される。遮光板兼基板スペーサ２７は、上下両面にくさび形のスナップロック爪２７ａ，　２７ｂが設けられていて、回路基板にはスナップロック爪２７ａ，　２７ｂを挿入する穴（図１（ｂ）中の３２）が形成されている。
【００１０】
図３は、第一回路基板２１と第二回路基板２２を接続した状態を示し、予め第一回路基板２１に遮光板兼基板スペーサ２７とＣＭＯＳカメラモジュール３１を取付け、図１に示した面を対向させて基板対基板接続コネクタ２３，　２４のソケット２３ａ，　２４ａとプラグ２３ｂ，　２４ｂを位置合わせし、遮光板兼基板スペーサ２７のスナップロック爪２７ｂを第二回路基板２２の穴２２ａに合わせて第一回路基板２１と第二回路基板２２を挟圧すれば、ソケット２３ａ，　２４ａとプラグ２３ｂ，　２４ｂとが嵌合するとともに遮光板兼基板スペーサ２７のスナップロック爪２７ｂが第二回路基板２２の穴２２ａに係合して二枚の回路基板２１，　２２が平行に連結される。
【００１１】
このように連結した第一回路基板２１と第二回路基板２２をケース１２へ装填してカバー１１をケース１２へ嵌合させるとともに、図４及び図５に示すようにカバー１１とケース１２の爪部１７を奥へ折り曲げれば、ケース１２の爪部１７によって第一回路基板２１の表面（図において上面）がケース１２側へ押さえられ、カバー１１の爪部１７によって第二回路基板２２の表面（図において下面）がカバー１１側へ押さえられて固定される。
【００１２】
尚、上記実施形態においてはケースとカバーとにそれぞれ一つの爪部を設けているが、コネクタ類に干渉しない位置であれば複数の窓にそれぞれ横向き爪部を設けてもよく、上記の実施形態に限定するものではない。また、この発明の技術的範囲内においてさらに種々の改変が可能であり、この発明がそれらの改変されたものに及ぶことは当然である。
【００１３】
【発明の効果】
以上説明したように、本発明のシールドケースはコネクタ類を露出させるための窓の縦辺に回路基板固定用の爪部を設けているので、シールドケースの壁面にＵ型スリットを加工して爪部を形成する従来の方法よりも爪部の配置スペースを取らない。したがって、シールドケースの側面に入出力コネクタ用の窓を数多く設けることにより従来型の爪部を配置することが困難な場合であっても、基板固定用の爪部を設けることができ、回路基板を確実に固定することができる。
【００１４】
また、ケースとカバーとからなるシールドケースにおいては、ケースとカバーのそれぞれの窓の縦辺に回路基板固定用爪部を設けることにより、平行配置した二枚の基板をそれぞれケース側とカバー側へ確実に固定することができる。
【図面の簡単な説明】
【図１】本発明の実施の一形態を示し、（ａ）はカバーの背面図、（ｂ）はケースの背面図である。
【図２】（ａ）はパーソナルネットワークカメラの第一回路基板の平面図、（ｂ）は第二回路基板の平面図である。
【図３】第一回路基板と第二回路基板を接続した状態の背面図。
【図４】第一回路基板と第二回路基板を収容したシールドケースの背面図。
【図５】回路基板固定用爪部の断面図。
【図６】従来のシールドケースを示し、（ａ）はカバーの背面図、（ｂ）はケースの背面図である。
【図７】回路基板を収容した図６のシールドケースの背面図。
【図８】図７の回路基板固定用爪部の断面図。
【符号の説明】
１１　　　　　カバー
１２　　　　　ケース
１３　　　　　メモリカードコネクタ用窓
１４　　　　　電源ソケット用窓
１５　　　　　ピンジャック用窓
１６　　　　　ＲＪ−４５ソケット用窓
１７　　　　　爪部
２１　　　　　第一回路基板
２２　　　　　第二回路基板
２６　　　　　ピンジャック
２７　　　　　遮光板兼基板スペーサ
２８　　　　　メモリカードコネクタ
２９　　　　　電源コネクタ
３０　　　　　ＲＪ−４５ソケット
３１　　　　　ＣＭＯＳカメラモジュール
【図１】
2004134468.tif 000003
【図２】
2004134468.tif 000004
【図３】
2004134468.tif 000005
【図４】
2004134468.tif 000006
【図５】
2004134468.tif 000007
【図６】
2004134468.tif 000008
【図７】
2004134468.tif 000009
【図８】
2004134468.tif 000010